(57)【要約】【課題】信号のピーク対平均電力比を低減する方法等を提供する。【解決手段】方法は、圧縮信号の帯域内ひずみを示す帯域内エラー信号を生成し、圧縮信号の帯域外ひずみを示す帯域外エラー信号を生成することを含んでよい。方法は、調整された帯域内エラー信号を生成するよう帯域内ゲインを帯域内エラー信号に適用し、調整された帯域外エラー信号を生成するよう帯域外ゲインを帯域外エラー信号に適用することを更に含んでよい。方法は、出力信号を生成するよう圧縮信号と調整された帯域内エラー信号及び調整された帯域外エラー信号とを結合することを更に含んでよい。圧縮信号は、調整されたエラー信号と結合されてよく、帯域内ゲイン及び帯域外ゲインは、出力信号のひずみが圧縮信号のひずみに対して低減されるように出力信号に基づいてよい。【選択図】図６
2014225871.tif 000002
【特許請求の範囲】
【請求項１】
圧縮された信号が生成される入力信号に対する前記圧縮された信号の帯域内ひずみを示す帯域内エラー信号を生成するステップと、
前記入力信号に対する前記圧縮された信号の帯域外ひずみを示す帯域外エラー信号を生成するステップと、
調整された帯域内エラー信号を生成するよう帯域内ゲインを前記帯域内エラー信号に適用するステップと、
調整された帯域外エラー信号を生成するよう帯域外ゲインを前記帯域外エラー信号に適用するステップと、
出力信号を生成するよう前記圧縮された信号と前記調整された帯域内エラー信号及び前記調整された帯域外エラー信号とを結合するステップと
を有し、
前記圧縮された信号は、前記調整された帯域内エラー信号及び前記調整された帯域外エラー信号と結合され、前記帯域内ゲイン及び前記帯域外ゲインは、前記出力信号のひずみが前記圧縮された信号のひずみに対して低減されるように前記出力信号に基づく、
信号のピーク対平均電力比を低減する方法。
【請求項２】
帯域内ひずみ目標に基づき前記帯域内ゲインを調整するステップ
を更に有する請求項１に記載の方法。
【請求項３】
帯域外ひずみ目標に基づき前記帯域外ゲインを調整するステップ
を更に有する請求項１に記載の方法。
【請求項４】
最適化方法に基づき前記帯域内ゲイン、前記帯域外ゲイン、又は前記帯域内ゲイン及び前記帯域外ゲインの両方を調整するステップ
を更に有する請求項１に記載の方法。
【請求項５】
前記圧縮された信号を生成するよう前記入力信号の振幅をクリッピングするステップ
を更に有する請求項１に記載の方法。
【請求項６】
前記入力信号に対する前記出力信号のエラーベクトル振幅に基づき前記出力信号の帯域内ひずみを決定し、前記エラーベクトル振幅に基づき前記帯域内ゲイン、前記帯域外ゲイン、又は前記帯域内ゲイン及び前記帯域外ゲインの両方を調整するステップ
を更に有する請求項１に記載の方法。
【請求項７】
前記出力信号の隣接チャネルリーク比に基づき前記出力信号の帯域外ひずみを決定し、前記隣接チャネルリーク比に基づき前記帯域内ゲイン、前記帯域外ゲイン、又は前記帯域内ゲイン及び前記帯域外ゲインの両方を調整するステップ
を更に有する請求項１に記載の方法。
【請求項８】
前記入力信号と前記圧縮された信号との間のひずみを示すエラー信号を生成するよう前記入力信号と前記圧縮された信号とを比較するステップと、
前記帯域内エラー信号を生成するよう帯域内周波数範囲に基づき前記エラー信号をフィルタリングするステップと、
前記帯域外エラー信号を生成するよう帯域外周波数範囲に基づき前記エラー信号をフィルタリングするステップと
を更に有する請求項１に記載の方法。
【請求項９】
前記帯域内エラー信号を生成するようローパスフィルタにより前記エラー信号をフィルタリングするステップ
を更に有する請求項８に記載の方法。
【請求項１０】
前記帯域外エラー信号を生成するようハイパスフィルタにより前記エラー信号をフィルタリングするステップ
を更に有する請求項８に記載の方法。
【請求項１１】
圧縮された信号が生成される入力信号に対する前記圧縮された信号の帯域内ひずみを示す帯域内エラー信号を生成するよう構成され、更に、前記入力信号に対する前記圧縮された信号の帯域外ひずみを示す帯域外エラー信号を生成するよう構成されるエラー検出モジュールと、
調整された帯域内エラー信号を生成するよう帯域内ゲインを前記帯域内エラー信号に適用するよう構成される帯域内ゲインユニットと、
調整された帯域外エラー信号を生成するよう帯域外ゲインを前記帯域外エラー信号に適用するよう構成される帯域外ゲインユニットと、
出力信号を生成するよう前記圧縮された信号と前記調整された帯域内エラー信号及び前記調整された帯域外エラー信号とを結合するよう構成される結合モジュールと
を有し、
前記結合モジュールは、前記圧縮された信号を前記調整された帯域内エラー信号及び前記調整された帯域外エラー信号と結合するよう構成され、前記出力信号のひずみが前記圧縮された信号のひずみに対して低減されるように、前記帯域内ゲインユニットは、前記出力信号に基づき前記帯域内ゲインを適用するよう構成され、前記帯域外ゲインユニットは、前記出力信号に基づき前記帯域外ゲインを適用するよう構成される、
信号のピーク対平均電力比を低減するシステム。
【請求項１２】
帯域内ひずみ目標に基づき前記帯域内ゲインを調整するよう構成される適応モジュール
を更に有する請求項１１に記載のシステム。
【請求項１３】
帯域外ひずみ目標に基づき前記帯域外ゲインを調整するよう構成される適応モジュール
を更に有する請求項１１に記載のシステム。
【請求項１４】
最適化方法に基づき前記帯域内ゲインを調整するよう構成される適応モジュール
を更に有する請求項１１に記載のシステム。
【請求項１５】
最適化方法に基づき前記帯域外ゲインを調整するよう構成される適応モジュール
を更に有する請求項１１に記載のシステム。
【請求項１６】
前記圧縮された信号を生成するよう前記入力信号の振幅をクリッピングするよう構成される圧縮モジュール
を更に有する請求項１１に記載のシステム。
【請求項１７】
前記入力信号に対する前記出力信号のエラーベクトル振幅に基づき前記出力信号の帯域内ひずみを決定するよう構成され、且つ、前記エラーベクトル振幅に基づき前記帯域内ゲイン、前記帯域外ゲイン、又は前記帯域内ゲイン及び前記帯域外ゲインの両方を調整するよう構成される適応モジュール
を更に有する請求項１１に記載のシステム。
【請求項１８】
前記出力信号の隣接チャネルリーク比に基づき前記出力信号の帯域外ひずみを決定するよう構成され、且つ、前記隣接チャネルリーク比に基づき前記帯域内ゲイン、前記帯域外ゲイン、又は前記帯域内ゲイン及び前記帯域外ゲインの両方を調整するよう構成される適応モジュール
を更に有する請求項１１に記載のシステム。
【請求項１９】
前記エラー検出モジュールは、
前記入力信号と前記圧縮された信号との間のひずみを示すエラー信号を生成するよう前記入力信号と前記圧縮された信号とを比較するよう構成されるコンパレータと、
前記帯域内エラー信号を生成するよう帯域内周波数範囲に基づき前記エラー信号をフィルタリングするよう構成される帯域内フィルタと、
前記帯域外エラー信号を生成するよう帯域外周波数範囲に基づき前記エラー信号をフィルタリングするよう構成される帯域外フィルタと
を有する、請求項１１に記載のシステム。
【請求項２０】
前記帯域内フィルタはローパスフィルタを有し、前記帯域外フィルタはハイパスフィルタを有する、
請求項１９に記載のシステム。
【発明の詳細な説明】
【技術分野】
【０００１】
本願で論じられる実施形態は、信号のピーク対平均電力費（peak-to-average  power  ration）（ＰＡＲ）を低減することに関する。
【背景技術】
【０００２】
信号のデータレートは、信号のＰＡＲ（“波高因子”とも呼ばれる。）に反比例し得る。従って、信号のＰＡＲを低減することは、特定の時間期間にわたって信号を介して通信され得るデータの量を増やすこととなる。加えて、信号のＰＡＲの低減は、特定のデータ量を通信するために使用される電力消費を削減し得る。
【０００３】
本願で請求される対象は、いずれかの欠点を解消し又は上述されたような環境においてのみ動作する実施形態に制限されない。むしろ、この背景は、本願で記載される幾つかの実施形態が実施され得る技術分野の一例を挙げるために与えられているにすぎない。
【発明の概要】
【発明が解決しようとする課題】
【０００４】
本発明の実施形態は、信号のピーク対平均電力比を低減する方法及びシステムを対象とする。
【課題を解決するための手段】
【０００５】
実施形態の一態様に従って、信号のピーク対平均電力比（ＰＡＲ）を低減する方法は、圧縮された信号が生成される入力信号に対する前記圧縮された信号の帯域内ひずみを示す帯域内エラー信号を生成するステップと、前記入力信号に対する前記圧縮された信号の帯域外ひずみを示す帯域外エラー信号を生成するステップとを有してよい。当該方法は、調整された帯域内エラー信号を生成するよう帯域内ゲインを前記帯域内エラー信号に適用するステップと、調整された帯域外エラー信号を生成するよう帯域外ゲインを前記帯域外エラー信号に適用するステップとを更に有してよい。当該方法は、出力信号を生成するよう前記圧縮された信号と前記調整された帯域内エラー信号及び前記調整された帯域外エラー信号とを結合するステップを更に有してよい。前記圧縮された信号は、前記調整された帯域内エラー信号及び前記調整された帯域外エラー信号と結合されてよく、前記帯域内ゲイン及び前記帯域外ゲインは、前記出力信号のひずみが前記圧縮された信号のひずみに対して低減されるように前記出力信号に基づいてよい。
【０００６】
実施形態の目標及び利点は、少なくとも、特許請求の範囲において特に示されている要素、特徴及び組み合わせによって、実現され達成される。
【０００７】
上記の概要及び以下の詳細な説明は、例示及び説明のためであり、請求される発明の限定ではない。
【発明の効果】
【０００８】
本発明の実施形態によれば、信号のピーク対平均電力比を低減する方法及びシステムを提供することが可能となる。
【図面の簡単な説明】
【０００９】
【図１】例となる無線通信システムを表す。
【図２】例となる送信及び／又は受信要素の選択された部品のブロック図を表す。
【図３】図２のＰＡＲ低減モジュールの実施例のブロック図を表す。
【図４】図３の処理モジュールの実施例のブロック図を表す。
【図５】図４の適応モジュールの実施例のブロック図を表す。
【図６】信号のＰＡＲを低減する方法の例のフローチャートである。
【発明を実施するための形態】
【００１０】
実施例は、添付の図面の使用を通じて追加的な特定及び詳細により記載され説明される。
【００１１】
本開示の幾つかの実施形態に従って、信号のＰＡＲ（“波高因子”とも呼ばれる。）が低減され得る。ＰＡＲの低減は、信号のデータレートの増大とともに、信号を介してデータを通信するために使用される電力消費の削減を可能にすることができる。
【００１２】
以下で詳述されるように、幾つかの実施形態において、ＰＡＲ低減モジュールは、入力信号を受信するよう構成されてよい。ＰＡＲ低減モジュールは、入力信号の振幅を圧縮して（例えば、入力信号の振幅をクリッピングして）、圧縮された信号を生成するよう構成されてよい。ＰＡＲ低減モジュールはまた、入力信号と圧縮された信号とを比較して、入力信号に対する圧縮された信号のひずみを示すことができるエラー信号を生成するよう構成されてよい。幾つかの実施形態において、ＰＡＲ低減モジュールは、帯域内周波数範囲に基づきエラー信号をフィルタリングして、帯域内エラー信号を生成するよう構成されてよい。ＰＡＲ低減モジュールはまた、帯域外周波数範囲に基づきエラー信号をフィルタリングして、帯域外エラー信号を生成するよう構成されてよい。帯域内周波数範囲は、入力信号の意図された周波数範囲に対応してよく、帯域外周波数範囲は、入力信号の意図された周波数範囲の外にあり得る周波数範囲に対応してよい。
【００１３】
加えて、幾つかの実施形態において、ＰＡＲ低減モジュールは、ＰＡＲ低減モジュールによって生成される出力信号の帯域内ひずみを入力信号と出力信号のフィードバックとに基づき決定するよう構成されてよい。幾つかの実施形態において、帯域内ひずみは、入力信号に対する出力信号のエラーベクトル振幅（error  vector  magnitude）（ＥＶＭ）に基づき決定されてよい。ＰＡＲ低減モジュールはまた、帯域内ひずみに基づき帯域内エラー信号に帯域内ゲインを適用するよう構成されてよい。
【００１４】
幾つかの実施形態において、ＰＡＲ低減モジュールはまた、出力信号のフィードバックに基づき出力信号の帯域外ひずみを決定してよい。幾つかの実施形態において、帯域外ひずみは、出力信号の隣接チャネルリーク比（adjacent  channel  leakage  ratio）（ＡＣＬＲ）に基づき決定されてよい。更に、ＰＡＲ低減モジュールは、帯域外ひずみに基づき帯域外エラー信号に帯域外ゲインを適用してよい。
【００１５】
帯域内ゲインを帯域内エラー信号に適用した後及び帯域外ゲインを帯域外エラー信号に適用した後、ＰＡＲ低減モジュールは、帯域内エラー信号及び帯域内エラー信号を結合エラー信号にまとめるよう構成されてよい。加えて、ＰＡＲ低減モジュールは、圧縮された信号と結合エラー信号とを結合することによって出力信号を生成するよう構成されてよい。
【００１６】
幾つかの実施形態において、ＰＡＲ低減モジュールは、帯域内ひずみ及び帯域外ひずみに基づき且つそれらに関連し得る最適化を実行してよい。ＰＡＲ低減モジュールは、最適化に基づき帯域内ゲイン及び／又は帯域外ゲインを決定してよい。幾つかの実施形態において、帯域内ゲイン及び／又は帯域外ゲインは、出力信号に関連するＰＡＲ、帯域内ひずみ、及び帯域外ひずみが指定範囲内にあるように最適化に基づき調整されてよい。
【００１７】
従って、ＰＡＲ低減モジュールは、信号に関連するＰＡＲを低減するよう構成されてよい。先に論じられたように、低減されたＰＡＲは、データレートの増大及び／又は信号を介したデータの伝送のための電力消費の削減を可能にすることができる。幾つかの実施形態において、ＰＡＲ低減モジュールは、無線通信システムを介した情報の通信を改善するよう、無線通信システムの１以上の構成要素に関して実施されてよい。
【００１８】
本開示の実施形態は、添付の図面を参照して説明される。
【００１９】
図１は、本願で記載される少なくとも１つの実施形態に従って配置される無線通信システム１００（以降、“システム１００”と称される。）を例示する。システム１００は、１以上のアクセスポイント１０４を介して１以上の端末１０６へ無線通信サービスを提供するよう構成されてよい。図１では明示的に表されていないが、システム１００は、無線通信サービスを如何なる数の端末１０６へも提供する如何なる数のアクセスポイント１０４も有してよい。加えて、本願における如何なる複数及び／又は単数の事項の使用に関しても、当業者は、文脈及び／又は適用に応じて複数個を単数個へ及び／又は単数個を複数個へ変換することができる。
【００２０】
システム１００によって提供される無線通信サービスは、ボイスサービス、データサービス、メッセージングサービス、及び／又はそれらの何れかの組み合わせを含んでよい。システム１００は、周波数分割双方向（Frequency  Division  Duplexing）（ＦＤＤ）ネットワーク、周波数分割多重アクセス（Frequency  Division  Multiple  Access）（ＦＤＭＡ）ネットワーク、直交（Orthogonal）ＦＤＭＡ（ＯＦＤＭＡ）ネットワーク、符号分割多重アクセス（Code  Division  Multiple  Access）（ＣＤＭＡ）ネットワーク、時分割多重アクセス（Time  Division  Multiple  Access）（ＴＤＭＡ）ネットワーク、直接シーケンススペクトラム拡散（Direct  Sequence  Spread  Spectrum）（ＤＳＳＳ）ネットワーク、周波数ホッピングスペクトラム拡散（Frequency  Hopping  Spread  Spectrum）（ＦＨＳＳ）ネットワーク、及び／又はその他の通信ネットワークを含んでよい。幾つかの実施形態において、システム１００は、第２世代（２Ｇ）無線通信ネットワーク、第３世代（３Ｇ）無線通信ネットワーク、第４世代（４Ｇ）無線通信ネットワーク、及び／又はワイファイネットワークとして動作するよう構成されてよい。そのような又は他の実施形態において、システム１００は、ロングタームエボリューション（Long  Term  Evolution）（ＬＴＥ）無線通信ネットワークとして動作するよう構成されてよい。
【００２１】
アクセスポイント１０４は、無線通信サービスを端末１０６へ提供し得る如何なる適切な無線ネットワーク通信ポイントであってもよい。アクセスポイント１０４は、一例として、しかし制限なしに、基地局、無線周波数ヘッド（remote  radio  head）（ＲＲＨ）、ノードＢ（Ｎｏｄｅ  Ｂ）、エボルブドノードＢ（ｅＮＢ）、又はいずれかの他の適切な通信ポイントを含んでよい。幾つかの実施形態において、モバイルスイッチングセンタ（mobile  switching  center）（ＭＳＣ）１１０がアクセスポイント１０４へ通信上結合されてよく、アクセスポイント１０４のための協調及び制御を提供してよい。
【００２２】
端末１０６は、無線通信サービスを取得するためにシステム１００を使用し得る如何なる装置であってもよく、遠隔局、移動局、アクセス端末、ユーザ設備（user  equipment）（ＵＥ）、無線通信装置、携帯電話機、又はその他用語でも呼ばれることがある。例えば、端末１０６は、一例として、制限なしに、携帯電話機、スマートフォン、パーソナルデータアシスタント（personal  data  assistant）（ＰＤＡ）、ラップトップコンピュータ、パーソナルコンピュータ（ＰＣ）、タブレットコンピュータ、無線通信カード、又はシステム１００内で通信するよう構成されるいずれかの他の同様の装置を含んでよい。
【００２３】
端末１０６は、１以上の衛星１０８から信号を受信することが可能であってもなくてもよい。幾つかの実施形態において、衛星１０８は、よく知られたグローバルポジショニングシステム（Global  Positioning  System）（ＧＰＳ）のような衛星位置決めシステムに属してよい。加えて、端末１０６はまた、ブルートゥース送信機、無線フィデリティ（Ｗｉ−Ｆｉ）送信機、無線ローカルエリアネットワーク（wireless  local  area  network）（ＷＬＡＮ）送信機、ＩＥＥＥ８０２．１１送信機、及びいずれかの他の適切な送信機のような他の種類の送信源から信号を受信することが可能であってもよい。
【００２４】
図１において、各端末１０６は、複数の送信源から同時に信号を受信するよう示されており、送信源はアクセスポイント１０４又は衛星１０８であってよい。特定の実施形態において、端末１０６がまた送信源であってもよい。概して、端末１０６は、いつ何時でも０、１又は複数の送信源から信号を受信してよい。加えて、簡単のために、ただ２つの端末１０６及び２つのアクセスポイント１０４しか図１には示されていないが、システム１００は如何なる数の端末１０６及びアクセスポイント１０４も含んでよい。
【００２５】
図２は、本願で記載される少なくとも１つの実施形態に従って配置される、例となる送信及び／又は受信要素２００（例えば、図１の端末１０６、アクセスポイント１０４、又は衛星１０８）の選択された構成要素のブロック図を表す。表されている実施形態において、要素２００は、送信経路２０１、デジタル回路２０２、及び発振回路２１０を有してよい。幾つかの実施形態において、要素２００は受信経路を更に有してよい（明示的には表されず。）。然るに、要素２００の機能に依存して、要素２００は送信機、受信機又は送受信機と見なされてよい。
【００２６】
要素２００は、送信経路２０１を介した送信のために信号及び情報を処理するよう構成される如何なるシステム、装置又は機器も有してよいデジタル回路２０２を有してよい。幾つかの実施形態において、デジタル回路２０２はまた、要素２００の受信経路を介して受信される信号及び情報を処理するよう構成されてよい。デジタル回路２０２は、１以上のマイクロプロセッサ、マイクロコントローラ、デジタル信号プロセッサ（digital  signal  processors）（ＤＳＰ）、特定用途向け集積回路（application-specific  integrated  circuits）（ＡＳＩＣ）、フィールドプログラマブルゲートアレイ（Field  Programmable  Gate  Array）（ＦＰＧＡ）、あるいは、プログラム命令をインタープリトするよう及び／又は実行するよう、及び／又はデータ及び又は信号を処理するよう構成されるいずれかの他のデジタル又はアナログ回路を含んでよい。幾つかの実施形態において、プログラム命令及び／又は処理データはメモリに記憶されてよい。
【００２７】
メモリは、一定期間プログラム命令及び／又はデータを保持するよう構成される如何なる的なコンピュータ可読媒体も含んでよい。一例として、制限なしに、そのようなコンピュータ媒体は、ランダムアクセスメモリ（Random  Access  Memory）（ＲＡＭ）、読み出し専用メモリ（Read-Only  Memory）（ＲＯＭ）、電気的消去可能なプログラム可能読み出し専用メモリ（Electrically  Erasable  Programmable  Read-Only  Memory）（ＥＥＰＲＯＭ）、コンパクトディスク読み出し専用メモリ（Compact  Disc  Read-Only  Memory）（ＣＤ−ＲＯＭ）若しくは他の光ディスクストレージ、磁気ディスクストレージ若しくは他の磁気記憶装置、フラッシュメモリ装置（例えば、ソリッドステートメモリ装置）、あるいは、コンピュータにより実行可能な命令若しくはデータの形で所望のプログラムコードを搬送又は記憶するために使用され得且つプロセッサによってアクセスされ得るいずれかの他の有形な及び／又は非一時的な記憶媒体を含む有形な及び／又は非一時的なコンピュータ可読記憶媒体を含んでよい。それらの組み合わせがまた、コンピュータ可読媒体の適用範囲内に含まれてよい。コンピュータにより実行可能な命令は、例えば、汎用のコンピュータ、特別目的のコンピュータ、又は特別目的の処理装置（例えば、プロセッサ）に特定の機能又は機能のグループを実行させる命令及びデータを含んでよい。
【００２８】
デジタル回路２０２はＰＡＲ低減モジュール２１１を更に有してよい。図３乃至５に関連して以下で更に詳細に開示されるように、ＰＡＲ低減モジュール２１１は、送信経路２０１を介して要素２００によって送信され得る信号のＰＡＲを低減するよう構成されてよい。
【００２９】
送信経路２０１はデジタル−アナログ変換器（digital-to-analog  converter）（ＤＡＣ）２０４を有してよい。ＤＡＣ２０４は、デジタル回路２０２からデジタル信号を受信するよう構成されてよく、受信されたデジタル信号をアナログ信号に変換するよう構成されてよい。アナログ信号は、次いで、アップコンバータ２０８を含む送信経路２０１の１以上の他の構成要素へ送られてよい。アップコンバータ２０８は、発振回路２１０によって供給される発信信号に基づき、アナログ信号を無線周波数へ周波数アップコンバートするよう構成されてよい。
【００３０】
発振回路２１０は、適用可能な無線周波数へのアナログ信号の変調又はアップコンバージョンのために特定の周波数のアナログ波形を生成するよう構成される如何なる適切な装置、システム、又は機器であってもよい。幾つかの実施形態において、発振回路２１０はまた、受信された無線通信信号の復調又はダウンコンバージョンのためにも使用されてよい。加えて、発振回路２１０は、変調又は復調のために使用され得るクロック信号を生成してよい。
【００３１】
幾つかの実施形態において、送信経路２０１は、アップコンバートされた信号の送信のために、アップコンバートとされた信号を増幅するよう構成される可変ゲイン増幅器（variable-gain  amplifier）（ＶＧＡ）２１４を更に有してよい。そのような及び他の実施形態において、送信経路２０１は、ＶＧＡ２１４によって増幅され得るアップコンバートされた信号を受信するよう構成される電力増幅器（power  amplifier）（ＰＡ）２２０を有してよい。ＰＡ２２０はまた、アップコンバートされた信号を増幅するよう構成されてよい。送信経路２０１は、ＶＧＡ２１４及びＰＡ２２０によって増幅されたアップコンバートされた信号を受信するよう構成されるバンドパスフィルタ２１６を更に有してよい。バンドパスフィルタ２１６は、信号の中の関心のあるバンド（すなわち、周波数範囲）に含まれるアップコンバートされた信号の信号成分を通すよう構成されてよい。増幅され且つフィルタリングされた信号はアンテナ２１８によって受信されてよい。アンテナ２１８は、無線通信信号として信号を送信するよう構成されてよい。
【００３２】
然るに、要素２００は、無線通信信号を送信するよう構成されてよい。加えて、要素２００のＰＡＲ低減モジュール２１１は、送信される無線通信信号のＰＡＲを低減するよう構成されてよい。ＰＡＲの低減は、無線通信信号を送信するために使用される電力を低減し及び／又は無線通信信号を介して送信され得る情報の量を増大させることができる。
【００３３】
変更、付加又は省略が、本開示の適用範囲から逸脱することなしに要素２００に対してなされてよい。例えば、要素２００は、明示的に記載及び図示されていない如何なる数の構成要素を有してもよい。更に、付加的な構成要素が、明示的に記載及び図示されている構成要素の間に通信上結合されてよい。加えて、幾つかの実施形態において、要素２００の明示的に図示及び記載されている構成要素のうちの１以上は省略されてよい。また、ＰＡＲ低減モジュール２１１は要素２００に含まれるよう記載されているが、ＰＡＲ低減モジュール２１１は、信号のＰＡＲを低減するために如何なる適切なシステム、機器又は装置においても含まれてよい。然るに、ＰＡＲ低減モジュール２１１は無線通信機に制限されない。
【００３４】
図３は、本願で記載される少なくとも１つの実施形態に従って配置される図２のＰＡＲ低減モジュール２１１の実施例のブロック図を表す。ＰＡＲ低減モジュール２１１は、入力信号を受信するよう構成されてよく、且つ、受信された入力信号に関連して動作を実行するよう構成される圧縮モジュール３０２及び処理モジュール３０４を有してよい。
【００３５】
入力信号は、そのＰＡＲがＰＡＲ低減モジュール２１１によって低減され得る如何なる適切な信号であってもよい。例えば、幾つかの実施形態において、入力信号は、入力信号がデジタルベースバンドＩＱ信号であり得るように同相（in-phase）（Ｉ）成分及び直交（quadrature）（Ｑ）成分を含み得るデジタルベースバンド直交位相信号であってよい。幾つかの実施形態において、入力信号は、無線通信信号を介した送信を目的とした情報を含んでよい。
【００３６】
圧縮モジュール３０２は、入力信号の圧縮された信号を生成するために、入力信号を受信して、入力信号の振幅を圧縮するよう構成される如何なる適切なシステム、機器、又は装置を含んでもよい。例えば、幾つかの実施形態において、圧縮モジュール３０２は、入力信号の振幅が所定の閾値を超える場合に、入力信号の振幅をクリッピングするためのクリッピング機能を実行するよう構成されてよい。入力信号の所定の閾値は、入力信号の振幅がさもなければ入力信号が入力信号の目標ＰＡＲを超えうる程である場合に入力信号がクリッピングされ得るように、信号の目標ＰＡＲに基づいてよい。クリッピング動作は、はハードクリッピングであってよく、あるいは、ソフトクリッピング動作であってよい。
【００３７】
圧縮モジュール３０２は処理モジュール３０４へ通信上結合されてよく、それにより処理モジュール３０４は、圧縮モジュール３０２から圧縮された信号を受信してよい。処理モジュール３０４はまた、入力信号を受信するよう構成されてよい。圧縮された信号を生成するための入力信号の圧縮は、圧縮された信号においてひずみを引き起こし得る。
【００３８】
図４及び５に関連して詳細に記載されるように、処理モジュール３０４は、圧縮された信号に対して低減されたひずみを有し且つ入力信号に対して低減されたＰＡＲを有し得る出力信号を生成するために、圧縮された信号においてひずみを低減するよう構成されてよい。以下で更に説明されるように、処理モジュール３０４は、圧縮された信号及び入力信号に基づきひずみを低減するよう構成されてよい。幾つかの実施形態において、処理モジュール３０４は、出力信号のＰＡＲ及びひずみが出力信号のための所望の範囲内にあるように構成されてよい。然るに、ＰＡＲ低減モジュール２１１の圧縮モジュール３０２及び処理モジュール３０４は、入力信号のＰＡＲに対して出力信号のＰＡＲを低減するよう実行される圧縮の間に生成され得るひずみを低減しながら、低減されたＰＡＲを有する出力信号を生成するよう構成されてよい。
【００３９】
図４は、本願で記載される少なくとも１つの実施形態に従って配置される図３の処理モジュール３０４の実施例のブロック図を表す。上述されたように、処理モジュール３０４は、図３の圧縮モジュール３０２から圧縮された信号を受信するよう構成されてよく、更に、入力信号を受信するよう構成されてよい。幾つかの実施形態において、処理モジュール３０４は、圧縮された信号及び入力信号を受信するよう構成されるエラー検出モジュール４０１を有してよい。
【００４０】
エラー検出モジュール４０１は、入力信号に対する圧縮された信号内のひずみを示すことができるエラー信号を生成するために、圧縮された信号を入力信号と比較するよう構成されるコンパレータ４０２を有してよい。幾つかの実施形態において、入力信号と圧縮された信号との間の差は、入力信号に対する圧縮された信号内のひずみを示してよい。従って、表されている実施形態においては、コンパレータ４０２は、エラー信号を生成するよう入力信号を圧縮された信号から減じるよう構成されてよく、それによりエラー信号は、入力信号に対する圧縮された信号のひずみを示してよい。
【００４１】
幾つかの実施形態において、圧縮された信号内のひずみは、帯域内ひずみ及び帯域外ひずみと分類されてよい。帯域内ひずみは、出力信号の意図された周波数範囲（以降、“関心のあるバンド”と呼ばれる。）内で起こるひずみであってよく、帯域外ひずみは、出力信号の関心のあるバンドの外で起こるひずみであってよい。例えば、出力信号がデジタルベースバンド信号である場合に、帯域内ひずみは、ベースバンド内で起こり得るひずみであってよく、帯域外ひずみは、ベースバンドの外で起こるひずみであってよい。
【００４２】
幾つかの実施形態において、処理モジュール３０４によって生成される出力信号の品質は、出力信号のエラーベクトル振幅（ＥＶＭ）に基づき測定されてよい。ＥＶＭは、出力信号の配置点（constellation  points）の位置の、それらの理想的な位置に対するずれを示してよい。出力信号のＥＶＭは、出力信号内の帯域内ひずみの量によって影響を及ぼされ得る。加えて、出力信号の品質はまた、出力信号の隣接チャネルリーク比（ＡＣＬＲ）に基づき測定されてよい。ＡＣＬＲは、出力信号内の帯域外周波数（例えば、帯域内周波数に隣接する周波数）の電力に対する出力信号の帯域内周波数の電力の比を示してよい。ＡＣＬＲは、出力信号内の帯域外ひずみの量によって影響を及ぼされ得る。
【００４３】
従って、幾つかの実施形態において、エラー検出モジュール４０１は、コンパレータ４０２によってエラー信号から帯域内エラー信号及び帯域外エラー信号を生成するよう構成されてよく、それにより出力信号の帯域内ひずみ及び／又は帯域外ひずみは調整され得る。表されている実施形態においては、エラー検出モジュール４０１は、コンパレータ４０２からエラー信号を受信するよう夫々構成される帯域内フィルタ４０４及び帯域外フィルタ４０８を有してよい。
【００４４】
帯域内フィルタ４０４は、出力信号の関心のあるバンド内の周波数を通して、実質的に出力信号の関心のあるバンドの外にある周波数を除去するよう構成される如何なる適切なフィルタであってもよい。例えば、出力信号がベースバンド信号である場合に、関心のあるバンドはベースバンドであってよい。従って、帯域内フィルタ４０４は、帯域内フィルタ４０４が、ベースバンド内の周波数を含み且つ圧縮された信号の帯域内ひずみを示し得る帯域内エラー信号を出力するようなローパスフィルタを有してよい。
【００４５】
帯域外フィルタ４０８は、出力信号の関心のあるバンドの外にある周波数を通して、実質的に出力信号の関心のあるバンドの中にある周波数を除去するよう構成される如何なる適切なフィルタであってもよい。例えば、出力信号がベースバンド信号である場合に、帯域外フィルタ４０８はハイパスフィルタを有してよい。然るに、帯域外フィルタ４０８は、ベースバンドの外にある周波数を有し且つ圧縮された信号の帯域外ひずみを示し得る帯域外エラー信号を出力し得る。
【００４６】
処理モジュール３０４は、帯域内フィルタ４０４によって出力された帯域内エラー信号を受信するよう構成される帯域内ゲインユニット４０６を有してよい。帯域内ゲインユニット４０６は、調整された帯域内エラー信号を生成するためにゲインを帯域内エラー信号に適用するよう構成される如何なる適切なシステム、機器、又は装置であってもよい。帯域内エラー信号に適用されるゲインは以降“帯域内ゲイン”と呼ばれることがあり、帯域内ゲインユニット４０６が、調整された帯域内エラー信号の電力を帯域内ゲインユニット４０６によって受信された帯域内エラー信号に対して減衰させ、同じままとし、又は増大させることができるように１よりも小さくも、１と等しくても、又は１よりも大きくてもよい。
【００４７】
処理モジュール３０４は、帯域外フィルタ４０８によって出力された帯域外エラー信号を受信するよう構成される帯域外ゲインユニット４１０を更に有してよい。帯域外ゲインユニット４１０は、調整された帯域外エラー信号を生成するためにゲインを帯域外エラー信号に適用するよう構成される如何なる適切なシステム、機器、又は装置であってもよい。帯域外エラー信号に適用されるゲインは以降“帯域外ゲイン”と呼ばれることがあり、帯域外ゲインユニット４１０が、調整された帯域外エラー信号の電力を帯域外ゲインユニット４１０によって受信された帯域外エラー信号に対して減衰させ、同じままとし、又は増大させることができるように１よりも小さくも、１と等しくても、又は１よりも大きくてもよい。
【００４８】
幾つかの実施形態において、処理モジュール３０４は、圧縮された信号を調整された帯域内エラー信号及び調整された帯域外エラー信号と結合するよう構成される結合モジュール４１５を更に有してよい。幾つかの実施形態において、結合モジュール４１５は、帯域内ゲインユニット４０６から調整された帯域内エラー信号を受信するよう構成され且つ帯域外ゲインユニット４１０から調整された帯域外エラー信号を受信するよう構成されるひずみ結合モジュール４１４を有してよい。ひずみ結合モジュール４１４は、調整されたエラー信号を生成するように、調整された帯域内エラー信号と調整された帯域外エラー信号とを結合するよう構成されてよい。
【００４９】
幾つかの実施形態において、結合モジュール４１５は、圧縮された信号及び調整されたエラー信号を受信するよう構成される出力信号モジュール４１６を更に有してよい。出力信号モジュール４１６は、調整されたエラー信号が圧縮された信号内のひずみ（帯域内及び／又は帯域外ひずみ）を少なくとも部分的に無効にすることができるように、調整されたエラー信号を圧縮された信号と結合するよう構成される如何なる適切なシステム、機器、又は装置であってもよい。然るに、出力信号モジュール４１６は、出力信号のひずみが圧縮された信号のひずみに対して低減され得るように、圧縮された信号及び調整されたエラー信号から出力信号を生成するよう構成されてよい。表されている実施形態においては、出力信号モジュール４１６は、調整されたエラー信号に対応し得る圧縮された信号のひずみが出力信号において低減又は除去され得るように、調整されたエラー信号を圧縮された信号から減じて出力信号を生成するよう構成されてよい。
【００５０】
幾つかの実施形態において、エラー検出モジュール４０１と出力信号モジュール４１６との間で起こり得る処理は遅延を有することがある。然るに、幾つかの実施形態において、処理モジュール３０４は、出力信号モジュール４１６へ通信上結合される遅延モジュール４１８を有してよい。遅延モジュール４１８は、エラー検出モジュール４０１と出力信号モジュール４１６との間の処理に付随する遅延と略同じ時間量だけ圧縮された信号を遅延させるよう構成されてよい。従って、出力信号モジュール４１６によって受信され得る圧縮された信号（及びその関連するひずみ）は実質的に、出力信号モジュール４１６によっても受信される調整されたエラー信号に対応してよい。
【００５１】
幾つかの実施形態において、処理モジュール３０４の適応モジュール４１２は、出力信号の帯域内ひずみ及び／又は帯域外ひずみが調整され得るように、帯域内ゲイン及び／又は帯域外ゲインを調整するよう構成されてよい。そのような及び他の実施形態において、適応モジュール４１２は、出力信号の帯域内ひずみ及び／又は帯域外ひずみが指定される範囲内にあるように、帯域内ゲイン及び／又は帯域外ゲインを調整するよう構成されてよい。例えば、幾つかの実施形態において、適応モジュール４１２は、調整された帯域内エラー信号の大きさによって影響を及ぼされ得る出力信号のＥＶＭが目標ＥＶＭ範囲内にあり得るように、帯域内ゲインユニット４０６の帯域内ゲインを調整するよう構成されてよい。そのような及び他の実施形態において、適応モジュール４１２はまた、調整された帯域外エラー信号の大きさによって影響を及ぼされ得る出力信号のＡＣＬＲが目標ＡＣＬＲ範囲内にあり得るように、帯域外ゲインユニット４１０の帯域外ゲインを調整するよう構成されてよい。
【００５２】
幾つかの実施形態において、適応モジュール４１２は、入力信号及び出力信号を受信するよう構成されてよい。図５に関連して以下で更に詳細に記載されるように、幾つかの実施形態において、適応モジュール４１２は、入力信号と出力信号との比較に基づき出力信号のＥＶＭを決定するよう構成されてよい。適応モジュール４１２は、出力信号の決定されたＥＶＭを出力信号の目標ＥＶＭと比較するよう構成されてよく、適応モジュール４１２は、その比較に基づき帯域内ゲインを調整するよう構成されてよい。
【００５３】
加えて、やはり図５に関連して更に詳細に記載されるように、幾つかの実施形態において、適応モジュール４１２は、出力信号のＡＣＬＲを決定するよう構成されてよい。適応モジュール４１２は、出力信号の決定されたＡＣＬＲを出力信号の目標ＡＣＬＲと比較するよう構成されてよく、適応モジュール４１２は、その比較に基づき帯域外ゲインを調整するよう構成されてよい。
【００５４】
図５は、本願で記載される少なくとも１つの実施形態に従って配置される図４の適応モジュール４１２の実施例のブロック図を表す。上述されたように、適応モジュール４１２は、入力信号及び出力信号を受信するよう構成されてよい。加えて、上述されたように、適応モジュール４１２は、出力信号ＥＶＭ及びＡＣＬＲを決定するよう構成されてよい。
【００５５】
出力信号のＥＶＭに関して、表されている実施形態においては、適応モジュール４１２は、入力信号及び出力信号を受信して、出力信号と入力信号との間の差を決定するよう構成される差分検出モジュール５０３を有してよい。出力信号と入力信号との間の差は、差分検出モジュール５０３が出力エラー信号を生成することができるように、出力信号と入力信号との間のひずみを示してよい。表されている実施形態においては、差分検出モジュール５０３は、入力信号を出力信号から減じることによって出力エラー信号を生成してよい。なお、いずれかの他の適切な動作が、出力信号と入力信号との間のひずみを示す出力エラー信号を生成するために実行されてよい。
【００５６】
加えて、上述されたように、処理モジュール３０４が入力信号を受信して、受信された入力信号と対応し得る出力信号を生成する時から、遅延が生じることがある。従って、幾つかの実施形態において、適応モジュール４１２は、差分検出モジュール５０３によって受信される入力信号が実質的に、同じく差分検出モジュール５０３によって受信される出力信号と対応することができるように、入力信号を受信して遅延させるよう構成され得る遅延モジュール５０２を有してよい。
【００５７】
適応モジュール４１２は、出力エラー信号及び入力信号を受信するよう構成されるＥＶＭモジュール５０４を更に有してよい。ＥＶＭモジュール５０４は、入力信号及び出力エラー信号に基づき入力信号に対する出力信号のＥＶＭを決定するよう構成されてよい。ＥＶＭモジュール５０４は、出力エラー信号及び入力信号に基づきＥＶＭを計算するためのいずれかの適切なプロシージャを用いて出力信号のＥＶＭを決定してよい。ＥＶＭモジュール５０４は、ＥＶＭを適応モジュール４１２ＥＶＭコンパレータ５１０へ送るよう構成されてよい。
【００５８】
ＥＶＭコンパレータ５１０は、ＥＶＭモジュール５０４によって出力されたＥＶＭをＥＶＭ目標と比較して、出力信号のＥＶＭが目標ＥＶＭにどれくらい近いかを決定するよう構成される如何なる適切なシステム、機器、又は装置であってもよい。ＥＶＭコンパレータ５１０は、出力信号のＥＶＭが目標ＥＶＭにどれくらい近いかを示すことができるＥＶＭ比較を然るべく出力してよい。幾つかの実施形態において、ＥＶＭ目標は、出力信号のＥＶＭの所望の範囲又は仕様要求に基づいてよい。表されている実施形態においては、ＥＶＭコンパレータ５１０は、出力信号のＥＶＭをＥＶＭ目標から減じて出力信号のＥＶＭを目標ＥＶＭと比較するよう構成されてよい。
【００５９】
幾つかの実施形態において、適応モジュール４１２は、ＥＶＭコンパレータ５１０によって出力され得るＥＶＭ比較を二乗するよう構成され得るＥＶＭ比較二乗モジュール５１４を有してよい。然るに、二乗されたＥＶＭは、出力信号のＥＶＭと目標ＥＶＭとの間の差を、その差が正又は負のいずれであるかに関わりなく示してよい。
【００６０】
二乗されたＥＶＭは、適応モジュール４１２のＥＶＭ重み付けモジュール５１８によって受信されてよい。ＥＶＭ重み付けモジュール５１８は、ＥＶＭ重みを二乗されたＥＶＭに適用してよい。以下で更に詳細に記載されるように、ＥＶＭ演算の結果は、ＡＣＬＲ演算の結果と結合されてよく、帯域内ゲイン及び／又は帯域外ゲインは、結合されたＥＶＭ及びＡＣＬＲ計算に基づき調整されてよく、それにより出力信号のひずみは実質的に所望の範囲内にあることができる。幾つかの実施形態において、ＥＶＭは、帯域内ゲイン及び／又は帯域外ゲインを決定及び調整する際にＡＣＬＲよりも高い又は低い重みを有してよい。然るに、ＥＶＭ重みは、帯域内ゲイン及び／又は帯域外ゲインを決定及び調整する際にＥＶＭに与えられ得る重みの量に基づいてよい。
【００６１】
適応モジュール４１２は、ＥＶＭ重み付けモジュール５１８によって出力され得る重み付けされたＥＶＭを受信するよう構成される結合モジュール５２０を更に有してよい。結合モジュール５２０は、重み付けされたＥＶＭを、以下で記載されるように決定され得る重み付けされたＡＣＬＲと結合するよう構成されてよい。然るに、結合モジュール５２０は、帯域内ひずみインジケータ及び帯域外ひずみインジケータ（例えば、重み付けされたＥＶＭ及びＡＣＬＲの結果）の両方を含むことができる結合ひずみインジケータを出力するよう構成されてよい。
【００６２】
ＡＣＬＲに関して、適応モジュール４１２は、出力信号を受信して、出力信号のＡＣＬＲを決定するよう構成されるＡＣＬＲモジュール５０６を更に有してよい。ＡＣＬＲモジュール５０６は、ＡＣＬＲを計算するためのいずれかの適切なプロシージャを用いて出力信号のＡＣＬＲを決定してよい。ＡＣＬＲモジュール５０６は、適応モジュール４１２のＡＣＬＲコンパレータ５０８へＡＣＬＲを送るよう構成されてよい。
【００６３】
ＡＣＬＲコンパレータ５０８は、ＡＣＬＲモジュール５０６によって出力されたＡＣＬＲをＡＣＬＲ目標と比較して、出力信号のＡＣＬＲが目標ＡＣＬＲにどれくらい近いかを決定するよう構成される如何なる適切なシステム、機器、又は装置であってもよい。ＡＣＬＲコンパレータ５０８は、出力信号のＡＣＬＲが目標ＡＣＬＲにどれくらい近いかを示すことができるＡＣＬＲ比較を然るべく出力してよい。幾つかの実施形態において、ＡＣＬＲ目標は、出力信号のＡＣＬＲの所望の範囲又は仕様要求に基づいてよい。表されている実施形態においては、ＡＣＬＲコンパレータ５０８は、出力信号のＡＣＬＲをＡＣＬＲ目標から減じて出力信号のＡＣＬＲを目標ＡＣＬＲと比較するよう構成されてよい。
【００６４】
幾つかの実施形態において、適応モジュール４１２は、ＥＶＭ比較二乗モジュール５１４と同じであってよく、且つ、ＡＣＬＲコンパレータ５０８によって出力され得るＡＣＬＲ比較を二乗するよう構成されてよいＡＣＬＲ比較二乗モジュール５１２を有してよい。然るに、ＡＣＬＲ比較二乗モジュール５１２によって出力される二乗されたＡＣＬＲは、出力信号のＡＣＬＲと目標ＡＣＬＲとの間の差を、その差が正又は負のいずれであるかに関わりなく示してよい。
【００６５】
二乗されたＡＣＬＲは、適応モジュール４１２のＡＣＬＲ重み付けモジュール５１６によって受信されてよい。上述された、二乗されたＥＶＭを重み付けするＥＶＭ重み付けモジュール５１８と同様に、ＡＣＬＲ重み付けモジュール５１６は、ＡＣＬＲ重みを二乗されたＡＣＬＲに適用するよう構成されてよい。ＡＣＬＲ重みは、帯域内ゲイン及び／又は帯域外ゲインを決定及び調整する際にＡＣＬＲに与えられ得る重みの量に基づいてよい。重み付けされたＡＣＬＲは、最終的に結合モジュール５２０によって受信されてよく、結合ひずみインジケータを生成するように重み付けされたＥＶＭと結合されてよい。
【００６６】
適応モジュール４１２は、結合モジュール５２０から結合ひずみインジケータを受信するよう構成され得る最適化モジュール５２２を有してよい。最適化モジュール５２２は、結合ひずみインジケータ及び何れかの適切な最適化方法に基づき帯域内ゲイン及び／又は帯域外ゲインを決定するよう構成されてよい。最適化モジュール５２２は、帯域内ゲインユニット４０６及び帯域外ゲインユニット（図４参照）へ通信上結合されてよく、それにより最適化モジュール５２２は、決定された帯域内ゲイン及び決定された帯域外ゲインに基づき帯域内ゲイン及び／又は帯域外ゲインを調整してよい。
【００６７】
最適化方法は、出力信号のひずみ（帯域内及び／又は帯域外）が所望の範囲内にあることができるように帯域内及び／又は帯域外ゲインを決定するよう構成される如何なる適切な最適化方法であってもよい。上述されたように、幾つかの実施形態において、出力信号の所望の帯域内及び帯域外ひずみ範囲は夫々、出力信号のＥＶＭ目標及び／又はＡＣＬＲ目標によって示されてよい。
【００６８】
例えば、幾つかの実施形態において、最適化モジュール５２２は、次の式に従って：
ｇ（ｋ＋１）＝ｇ（ｋ）−μ∇ｆ（ｘ，ｇ）
結合ひずみインジケータ並びに帯域内及び／又は帯域外ゲインに関して傾き最適化アルゴリズムを実行するよう構成されてよい。
【００６９】
上記の式において、“ｇ（ｋ＋１）”は、決定されたゲインを表してよい（どちらのゲインが決定されているかに依存して、帯域内又は帯域外）。“ｇ（ｋ）”は、以前のゲインを表してよい。“μ”は、傾き関数の収束の速度を制御するために使用され得るステップサイズパラメータを表してよい。“∇”は、勾配演算子を表してよい。“ｆ（ｘ，ｇ）”は、ゲイン及び入力信号に依存し得る結合ひずみインジケータをもたらすコスト関数を表してよい
最適化モジュール５２２は、帯域内及び／又は帯域外ゲインを、最適化アルゴリズムを結合ひずみインジケータ及び夫々のゲインに適用した結果に基づき設定してよく、これにより出力信号のＥＶＭ及び／又はＡＣＬＲは、ＥＶＭ及び／又はＡＣＬＲがＥＶＣ及びＡＣＬＲの夫々の目標へ又はその範囲内に実質的に移動するように、然るべく調整され得る。
【００７０】
従って、適応モジュール４１２は、実質的に出力信号のひずみを所望のレベルに保つのを助けてよい。変更、付加又は省略は、本開示の適用範囲から逸脱することなしに、図２乃至５に関連して記載されたＰＡＲ低減モジュール２１１及びその関連する構成要素に対してなされてよい。例えば、最適化モジュール５２２が傾き最適化を実行するよう上述されているが、本開示は、傾き最適化アルゴリムに基づき最適化を実行する最適化モジュール５２２に制限されない。加えて、ＰＡＲ低減モジュール２１１は、ＰＡＲ低減モジュール２１１の使用が無線通信に制限されないように、信号のＰＡＲを低減するための如何なる適切な用途によっても使用されてよい。加えて、ＰＡＲ低減モジュール２１１は、明示的に図示及び記載されていない他の構成要素を有してよい。
【００７１】
図６は、本願で記載される少なくとも１つの実施形態に従って配置される、信号のＰＡＲを低減する方法６００の例のフローチャートである。方法６００は、幾つかの実施形態において、図２乃至５に関連して記載されたＰＡＲ低減モジュール２１１及びその関連する構成要素のようなＰＡＲ低減モジュールの１以上の構成要素によって実施されてよい。別個のブロックとして表されているが、様々なブロックは、所望の実施に依存して、付加的なブロックに分割されても、より少ないブロックにまとめられても、又は削除されてもよい。
【００７２】
方法６００はブロック６０２で開始してよく、ブロック６０２で、帯域内エラー信号が生成されてよい。帯域内エラー信号は、圧縮された信号が生成される入力信号に対する圧縮された信号の帯域内ひずみを示してよい。幾つかの実施形態において、帯域内エラー信号は、エラー信号を生成するよう入力信号を圧縮された信号と比較し、次いで帯域内周波数範囲に基づきエラー信号をフィルタリングすることによって、生成されてよい。ブロック６０４で、帯域外エラー信号が生成されてよい。帯域外エラー信号は、入力信号に対する圧縮された信号の帯域外ひずみを示してよい。幾つかの実施形態において、帯域外エラー信号は、帯域外周波数範囲に基づきエラー信号をフィルタリングすることによって、生成されてよい。
【００７３】
ブロック６０６で、帯域内ゲインが、調整された帯域内エラー信号を生成するよう帯域内エラー信号に適用されてよい。ブロック６０８で、帯域外ゲインが、調整された帯域外エラー信号を生成するよう帯域外エラー信号に適用されてよい。
【００７４】
ブロック６１０で、圧縮された信号は、出力信号を生成するよう、調整された帯域内エラー信号及び調整された帯域外エラー信号と結合されてよい。圧縮された信号は、調整された帯域内エラー信号及び調整された帯域外エラー信号と結合されてよく、帯域内ゲイン及び帯域外ゲインは、出力信号のひずみ（帯域内及び／又は帯域外）が圧縮された信号に対して低減され得るように出力信号に基づいてよい。
【００７５】
幾つかの実施形態において、出力信号の帯域内ひずみは、入力信号に対する出力信号のＥＶＭに基づき決定されてよく、及び／又は、出力信号の帯域外ひずみは、出力信号のＡＣＬＲに基づき決定されてよい。幾つかの実施形態において、帯域内ゲイン及び／又は帯域外ゲインは、出力信号の帯域内ひずみと帯域内ひずみ目標との比較に基づき調整されてよい。そのような及び他の実施形態において、帯域内ゲイン及び／又は帯域外ゲインは、出力信号の帯域外ひずみと帯域外ひずみ目標との比較に基づき調整されてよい。そのような及び他の実施形態において、帯域内ひずみ目標は、出力信号の目標ＥＶＭに基づいてよく、帯域外ひずみ目標は、出力信号の目標ＡＣＬＲに基づいてよい。
【００７６】
当業者に明らかなように、本願で開示されているこの及び他の処理及び方法に関し、処理及び方法において実行される機能は異なる順序で実施されてよい。例えば、幾つかの実施形態において、方法６００は、圧縮された信号を生成するよう入力信号の振幅を圧縮（例えば、クリッピング）することに関連した動作を有してよい。更に、概説されたステップ及び動作は単に一例として与えられており、ステップ及び動作の一部は、開示されている実施形態の本質から逸脱することなしに、任意であっても、より少ないステップ及び動作にまとめられても、又は付加的なステップ及び動作に拡張されてもよい。
【００７７】
本願で記載される実施形態は、以下でより詳細に論じられるように、様々なコンピュータハードウェア又はソフトウェアモジュールを含む特別目的又は汎用のコンピュータの仕様を含んでよい。
【００７８】
本願で記載される実施形態は、コンピュータにより実行可能な命令又はデータ構造を搬送又は記憶するコンピュータ可読媒体を用いて実施されてよい。そのようなコンピュータ可読媒体は、汎用又は特別目的のコンピュータによってアクセスされ得るあらゆる利用可能な媒体であってよい。上述されたように、一例として、制限なしに、そのようなコンピュータ可読媒体は、ＲＡＭ、ＲＯＭ、ＥＥＰＲＯＭ、ＣＤ−ＲＯＭ若しくは他の光ディスクストレージ、磁気ディスクストレージ若しくは他の磁気記憶装置、フラッシュメモリ（例えば、ソリッドステートメモリ装置）、又はコンピュータにより実行可能な命令若しくはデータ構造の形で所望のプログラムコードを搬送若しくは記憶するために使用されてよく且つ汎用若しくは特別目的のコンピュータによってアクセスされてよいあらゆる他の記憶媒体を含む有形なコンピュータ可読記憶媒体を有してよい。そのような記憶媒体の組み合わせも、コンピュータ可読媒体の適用範囲内に含まれてよい。
【００７９】
コンピュータにより実行可能な命令は、例えば、汎用のコンピュータ、特別目的のコンピュータ、又は特別目的の処理装置に特定の機能又は機能のグループを実行させる命令及びデータを含んでよい。対象は、構造的な特徴及び／又は方法論的な動作に特有の言語において記載されてきたが、添付の特許請求の範囲において定義される対象は、必ずしも、上記の具体的な特徴又は動作に制限されないことが理解されるべきである。むしろ、上記の具体的な特徴及び動作は、特許請求の範囲を実施する例となる形態として開示される。
【００８０】
本願で使用されるように、語“モジュール”又は“コンポーネント”は、コンピュータシステムの汎用のハードウェア（例えば、コンピュータ可読媒体、処理装置、等）において記憶され及び／又はそれによって実行され得るモール若しくはコンポーネントの動作及び／又はソフトウェアオブジェクト若しくはソフトウェアルーチンを実行するよう構成される特定のハードウェア実施を指してよい。幾つかの実施形態において、本願で記載される異なるコンポーネント、モジュール、エンジン及びサービスは、（例えば、別個のスレッドとして）コンピュータシステムで実行されるオブジェクト又は処理として実施されてよい。本願で記載されるシステム及び方法の一部は、概して（汎用のハードウェアによって記憶及び／又は実行される）ソフトウェアにおいて実施されるよう記載されるが、特定のハードウェア実施又はソフトウェア及び特定のハードウェア実施の組み合わせも可能であり考えられている。本明細書において、“コンピュータエンティティ”は、本願で先に定義されているようなあらゆるコンピュータシステム、又はコンピュータシステムで実行されるあらゆるモジュール若しくはモジュールの組み合わせであってよい。
【００８１】
本願で挙げられている全ての例及び条件付き言語は、読む者が本発明及び当該技術の進歩に対して本発明によって貢献される概念を理解するのを助ける教育的な目的を対象とし、そのような具体的に挙げられている例及び条件に制限されないよう解釈されるべきである。本発明の実施形態について詳細に記載してきたが、当然に、様々な変更、置換及び代替が、本発明の精神及び適用範囲から逸脱することなしにそれらに対してなされてよい。
【符号の説明】
【００８２】
１００          無線通信システム
１０４          アクセスポイント
１０６          端末
１０８          衛星
１１０          モバイルスイッチングセンタ（ＭＳＣ）
２００          送信及び／又は受信要素
２０１          送信経路
２０２          デジタル回路
２０４          デジタル−アナログ変換器（ＤＡＣ）
２０８          アップコンバータ
２１０          発振回路
２１１          ＰＡＲ低減モジュール
２１４          可変ゲイン増幅器（ＶＧＡ）
２１６          バンドパスフィルタ
２１８          アンテナ
２２０          電力増幅器（ＰＡ）
３０２          圧縮モジュール
３０４          処理モジュール
４０１          エラー検出モジュール
４０２          コンパレータ
４０４          帯域内フィルタ
４０６          帯域内ゲインユニット
４０８          帯域外フィルタ
４１０          帯域外ゲインユニット
４１２          適応モジュール
４１４          ひずみ結合モジュール
４１５，５２０  結合モジュール
４１６          出力信号モジュール
４１８，５０２  遅延モジュール
５０３          差分検出モジュール
５０４          ＥＶＭモジュール
５０６          ＡＣＬＲモジュール
５０８          ＡＣＬＲコンパレータ
５１０          ＥＶＭコンパレータ
５１２          ＡＣＬＲ比較二乗モジュール
５１４          ＥＶＭ比較二乗モジュール
５１６          ＡＣＬＲ重み付けモジュール
５１８          ＥＶＭ重み付けモジュール
５２２          最適化モジュール
【図１】
2014225871.tif 000003
【図２】
2014225871.tif 000004
【図３】
2014225871.tif 000005
【図４】
2014225871.tif 000006
【図５】
2014225871.tif 000007
【図６】
2014225871.tif 000008